(57)【要約】【課題】折り畳み傘に対応でき、操作が簡単で効率の良い雫の除去が可能な折り畳み傘の雫除去装置を提供する。【解決手段】上記課題を解決するために本発明の折り畳み傘の雫除去装置１は、閉じた状態の折り畳み傘３の石突き部５と、生地部７の基端部９を挿し込む底面が開放された挿込み穴部１１を有するインナーカートリッジ１３と、前記インナーカートリッジ１３を囲む外方に前記基端部９から延びる生地部７の1段目折り返し部１５と、該1段目折り返し部１５から延びる生地部７の2段目折り返し先端部１７とを収容する底面が開放された収容凹部１９が形成されたアウターカートリッジ２１と、を備え、前記インナーカートリッジ１３の内周面及び外周面と前記アウターカートリッジ２１の内周面には、雫Ｗを吸収する吸水材２３が配設されている。【選択図】図５
2013017688.tif 000002
【特許請求の範囲】
【請求項１】
閉じた状態の折り畳み傘（３）の石突き部（５）と、該石突き部（５）に固定された生地部（７）の基端部（９）を挿し込む底面が開放された挿込み穴部（１１）を有するインナーカートリッジ（１３）と、
前記インナーカートリッジ（１３）を囲む外方に前記閉じた状態の折り畳み傘（３）の前記基端部（９）から延びる生地部（７）の1段目折り返し部（１５）と、該1段目折り返し部（１５）から延びる生地部（７）の2段目折り返し先端部（１７）とを収容する底面が開放された収容凹部（１９）が形成されたアウターカートリッジ（２１）と、を備え、
前記インナーカートリッジ（１３）の内周面及び外周面と、前記アウターカートリッジ（２１）の内周面には、前記生地部（７）の生地表面に付着した雫（Ｗ）を吸収する吸水材（２３）が配設されていることを特徴とする折り畳み傘の雫除去装置。
【請求項２】
請求項１記載の折り畳み傘の雫除去装置において、
前記インナーカートリッジ（１３）の挿込み穴部（１１）の底部には、挿込み穴部（１１）に挿入された石突き部（５）の下限位置を設定する傘受けストッパー（２５）が配設されていることを特徴とする折り畳み傘の雫除去装置。
【請求項３】
請求項２記載の折り畳み傘の雫除去装置において、
前記インナーカートリッジ（１３）の作用高さ（Ｈ）は、前記折り畳み傘（３）の石突き部（５）が前記傘受けストッパー（２５）に当接した状態で前記生地部（７）の基端部（９）と1段目折り返し部（１５）との屈曲点（Ｏ）が前記インナーカートリッジ（１３）の頂部に押し付けられることにない余裕を持った寸法に設定されていることを特徴とする折り畳み傘の雫除去装置。
【請求項４】
請求項１乃至３の何れかに記載の折り畳み傘の雫除去装置において、
前記吸水材（２３）が配設されるインナーカートリッジ（１３）の少なくとも内周面及び外周面と、前記アウターカートリッジ（２１）の内周面には、緩衝構造（２７）が設けられていることを特徴とする折り畳み傘の雫除去装置。
【請求項５】
請求項１乃至４の何れかに記載の折り畳み傘の雫除去装置において、
前記インナーカートリッジ（１３）は、内周面が下窄まり形状のテーパ面で外周面が上窄まり形状のテーパ面の筒体を有することによって構成されていることを特徴とする折り畳み傘の雫除去装置。
【請求項６】
請求項1乃至５の何れかに記載の折り畳み傘の雫除去装置において、
前記アウターカートリッジ（２１）の上流側の側傍には、前記折り畳み傘（３）の取っ手（４）を持って前記生地部（７）を含む他の部位を進行方向に沿って移動させることができる進行方向の前面と上面が開放された水切り空間（２９）が、進行方向の左右に配置された２枚の側壁（３１）によって形成されていることを特徴とする折り畳み傘の雫除去装置。
【発明の詳細な説明】
【技術分野】
【０００１】
本発明は、傘の生地表面に付着した雫を効率良く取り除くことができる傘用の雫除去装置に係り、特に折り畳み傘の生地表面に付着した雫を取り除くのに好適な折り畳み傘の雫除去装置に関する。
【背景技術】
【０００２】
従来から学校、病院、会社、公共施設等、多数の人が出入りする建築物の玄関等には、雨天時に使用した傘の生地表面に付着した雫を取り除いて上記建築物内への雨滴の浸入を防止する目的で傘用の雫除去装置が多く設置されている。  
このような傘用の雫除去装置としては、傘の生地表面にビニール袋を被せることによって建築物内への雨滴の浸入を防止するようにしたもの、傘の生地表面に熱風を当てて乾燥させることによって当該雫を除去するようにしたもの、傘を回転させることによって発生する遠心力を利用して当該雫を除去するようにしたもの等が従来から存在している。
【０００３】
また、使用後の上記ビニール袋の廃棄処理の問題や省エネルギー化等の要請に応えて、ビニール袋等を使用することなく、また一切の動力を必要としない、下記の特許文献１、２に示すようなタイプの傘用の雫除去装置も開発されている。  
そして、特許文献１、２に開示されている傘用の雫除去装置は、傘の生地表面に付着した雫の除去を使用者の操作に委ねており、簡単な操作で効率良く雫を除去することができ、しかも上記ビニール袋の廃棄処理の問題が生じないし、省エネルギー化等の要請にも応えられることから近時、徐々に使用されるようになってきている。
【先行技術文献】
【特許文献】
【０００４】
【特許文献１】特開２００１−１６９８１４号公報
【特許文献２】特許第３８４５１０５号公報
【発明の概要】
【発明が解決しようとする課題】
【０００５】
しかし、上記特許文献１、２に開示されている傘用の雫除去装置は、傘を閉じた状態で雫が付着した生地表面のすべてが外側に位置する長傘での使用を想定した傘用の雫除去装置である。  
従って、傘を閉じた状態で雫が付着した生地表面が折り畳まれて内側と外側に分かれて位置する折り畳み傘に対しては所望の雫除去作用を発揮することはできなかった。
【０００６】
即ち、上記特許文献１、２では傘の生地表面の外方のみに当該生地表面に当接することで該生地表面に付着している雫を拭き取り、吸水して除去する吸水体を備えており、該吸水体は生地表面が折り畳まれて内側に位置する部位には当接できない構造になっている。  
また、特許文献２のように狭い隙間に傘の生地を潜らせて雫を除去する構造の傘用の雫除去装置の場合には、差込口の形状や上記隙間の寸法制限から、閉じた状態の折り畳み傘を上記差込口に挿入することは構造的に不可能であった。
【０００７】
そこで、本発明が解決しようとする課題を要約すると、ビニール袋の廃棄処理の問題を生じさせることなく、省エネルギー化等の要請にも応えられ、しかも折り畳み傘に対応できる操作が簡単で効率の良い雫の除去が可能な折り畳み傘の雫除去装置を提供することである。
【課題を解決するための手段】
【０００８】
上記課題を解決するために、本発明の請求項１記載の折り畳み傘の雫除去装置は、閉じた状態の折り畳み傘（３）の石突き部（５）（図５参照）と、該石突き部（５）に固定された生地部（７）の基端部（９）を挿し込む底面が開放された挿込み穴部（１１）を有するインナーカートリッジ（１３）と、前記インナーカートリッジ（１３）を囲む外方に前記閉じた状態の折り畳み傘（３）の前記基端部（９）から延びる生地部（７）の1段目折り返し部（１５）と、該1段目折り返し部（１５）から延びる生地部（７）の2段目折り返し先端部（１７）とを収容する底面が開放された収容凹部（１９）が形成されたアウターカートリッジ（２１）と、を備え、前記インナーカートリッジ（１３）の内周面及び外周面と、前記アウターカートリッジ（２１）の内周面には、前記生地部（７）の生地表面に付着した雫（Ｗ）を吸収する吸水材（２３）が配設されていることを特徴とする。
【０００９】
また、前記インナーカートリッジ（１３）の挿込み穴部（１１）の底部には、挿込み穴部（１１）に挿入された石突き部（５）の下限位置を設定する傘受けストッパー（２５）を配設することが可能である。  
また、前記インナーカートリッジ（１３）の作用高さ（Ｈ）を前記折り畳み傘（３）の石突き部（５）が前記傘受けストッパー（２５）に当接した状態で前記生地部（７）の基端部（９）と1段目折り返し部（１５）の屈曲点（Ｏ）が前記インナーカートリッジ（１３）の頂部に押し付けられることのない余裕を持った寸法に設定することが可能である。
【００１０】
また、前記吸水材（２３）が配設されるインナーカートリッジ（１３）の少なくとも内周面及び外周面と、前記アウターカートリッジ（２１）の内周面に、緩衝構造（２７）を設けることが可能である。  
また、前記インナーカートリッジ（１３）を、内周面が下窄まり形状のテーパ面で、外周面が上窄まり形状のテーパ面の筒体によって構成することが可能である。
【００１１】
また、前記アウターカートリッジ（２１）の上流側の側傍に、前記折り畳み傘（３）の取っ手（４）を持って前記生地部（７）を含む他の部位を進行方向に沿って移動させることができる進行方向の前面と上面が開放された水切り空間（２９）を、進行方向の左右に配置された２枚の側壁（３１）によって形成することが可能である。
【発明の効果】
【００１２】
本発明の折り畳み傘の雫除去装置によれば、次に示す効果がある。  
（１）先ず、挿込み穴部を有するインナーカートリッジと、収容凹部が形成されたアウターカートリッジと、を備えた二重筒構造のカートリッジの採用により、傘を閉じた状態で雫が付着した生地表面が折り畳まれて内側と外側に分かれて位置する折り畳み傘に対しても上記インナーカートリッジとアウターカートリッジが効果的に作用して所望の雫除去効果が発揮されるようになる。  
また、折り畳み傘の生地部の生地表面と接触するインナーカートリッジとアウターカートリッジの部位には、吸水材が配設されているから、前記生地部の生地表面に付着している雫は上記吸水材に吸収されて効率的に除去される。
【００１３】
（２）また、前記インナーカートリッジの挿込み穴部の底部に傘受けストッパーを設けた場合には、使用者が折り畳み傘を上下に振って該生地部の生地表面に付着している雫を振り落とす際、当該折り畳み傘の過剰な上下動を防止して雫除去時の折り畳み傘の損傷を未然に防止することが可能になる。  
また、前記インナーカートリッジの作用高さを前記石突き部が傘受けストッパーに当接した状態で基端部と折り返し部の屈曲点が前記インナーカートリッジの頂部に押し付けられることのない余裕を持った寸法に設定した場合には、使用者が折り畳み傘を上下に振って雫を落とす時、生地等の基端部と折り返し部に無理な引っ張り力等を作用させることなく、生地表面に付着した雫を取り除くことが可能になる。
【００１４】
（３）また、インナーカートリッジの少なくとも内周面及び外周面と、前記アウターカートリッジの内周面に緩衝構造を設けた場合には、雫を除去するために折り畳み傘を上下に強く振っても上記緩衝構造によって生地部に作用するインナーカートリッジやアウターカートリッジからの衝撃が緩和されるから折り畳み傘の生地部を傷めることもない。  
また、インナーカートリッジを内周面が下窄まり形状のテーパ面、外周面が上窄まり形状のテーパ面の筒体によって構成した場合には、インナーカートリッジの挿込み穴部への生地部の基端部の挿入と取り出しが容易になり、アウターカートリッジの収容凹部への生地部の折り返し部と先端部の収容と取り出しが容易になる。
【００１５】
（４）また、前記アウターカートリッジの上流側の側傍に、進行方向の前面と上面が開放された水切り空間が、進行方向の左右に配置された２枚の側壁によって形成されている場合には、前記インナーカートリッジとアウターカートリッジとから構成されている二重筒構造のカートリッジによって実行される折り畳み傘の雫除去作業に先立って、生地部の先端部に付着している雫を取り除く予備的な雫除去が実行されるようになる。  
従って、雫の除去効率が向上する。また、上記水切り空間は長傘にも対応できるから折り畳み傘以外の傘の生地表面に付着している雫の予備的な除去にも利用できる。
【図面の簡単な説明】
【００１６】
【図１】本発明の実施の形態を示す図で、折り畳み傘の雫除去装置の全体構成を示す斜視図である。
【図２】本発明の実施の形態を示す図で、折り畳み傘の雫除去装置の全体構成を示す要部破断正面図である。
【図３】本発明の実施の形態を示す図で、折り畳み傘の雫除去装置の全体構成を示す進行方向前面側からの側面図である。
【図４】本発明の実施の形態を示す図で、折り畳み傘の雫除去装置の全体構成を示す平面図である。
【図５】本発明の実施の形態を示す図で、第２雫除去装置を示す中央縦断正面図である。
【図６】本発明の実施の形態を示す図で、第２雫除去装置を示す平面図である。
【図７】本発明の実施の形態を示す図で、折り畳み傘の雫除去装置の使用手順を段階的に示す説明図である。
【図８】本発明の他の実施の形態を示す図で、第２雫除去装置の構成を異らせた２種の実施の形態を示す平面図である。
【発明を実施するための形態】
【００１７】
以下、本発明に係る折り畳み傘の雫除去装置１の構成を図１乃至図７に示す実施の形態を例にとって具体的に説明する。  
図示の折り畳み傘の雫除去装置１は、一例としてステンレス製の角パイプとパネルを組み合わせることによってフレーム２が構成されており、該フレーム２に対して、使用者が建築物の中に入る時の進行方向Ａの上流側に折り畳み傘の外側雫Ｗのみの除去を行う第１雫除去装置３０を配設し、該第１雫除去装置３０の下流側の側傍に折り畳み傘の内側の雫Ｗ及び再度外側の雫Ｗの除去を行う第２雫除去装置４０を配設することによって構成されている。
【００１８】
フレーム２の下面のコーナ部には、一例としてキャスター６１が１個ずつ計４個設けられており、該キャスター６１を含んだフレーム２の大きさは、幅が約１０００ｍｍ、奥行きが約３００ｍｍ、高さが約８００ｍｍに一例として設定されている。  
フレーム２の進行方向Ａから見た前面６３と上面６５は開放されており、フレーム２の進行方向Ａの途中には仕切り６７が設けられていて、該仕切り６７によって上述した第１雫除去装置３０と第２雫除去装置４０との設置スペースが進行方向Ａの前後に仕切られている。
【００１９】
また、フレーム２の下面には、上記第１雫除去装置３０と第２雫除去装置４０とによって捕捉した雫Ｗを一時的に貯溜する貯溜容器６９が設けられており、フレーム２の底部には、上記捕捉した雫Ｗを貯溜容器６９に導く連絡開口７０と、該連絡開口７０に上記雫Ｗを案内する漏斗状に傾斜した案内板７１が配設されている。  
また、上記貯溜容器６９の底部には排水用のノズル７３が設けられており、該ノズル７３から排出された雫Ｗは、図２中、仮想線で示すような水受け７５に収容されたり、上記ノズル７３に図示しないホースを取り付けて、下水溝等に導かれる。
【００２０】
第１雫除去装置３０は、折り畳み傘３の取っ手４（図５、図７（ａ））を持って生地部７を含む他の部位（取っ手４以外の部位）を、図７（ａ）中進行方向Ａに沿って移動させることができる上述した前面６３と上面６５が開放された水切り空間２９を有している。  
また、上記水切り空間２９の前後、即ち進行方向Ａの左右には、２枚の側壁３１Ｌ、３１Ｒが下縁を内方に偏倚させた下窄まりの傾斜姿勢（図１、図３参照）で対向配置されている。
【００２１】
上記対向配置された２枚の側壁３１Ｌ、３１Ｒの内壁面には、矩形板状のスポンジ板３３、３３が取り付けられており、図７（ｂ）に示す如く、使用者は進行方向Ａに進みながら折り畳み傘３の取っ手４以外の部分を進行方向Ａの左右のスポンジ板３３、３３に当接させることによって、折り畳み傘３の生地部７における2段目折り返し先端部１７外側の生地表面に付着している雫Ｗを振り落とすようにして取り除くことができるように構成されている。
【００２２】
第２雫除去装置４０は、図５に示す如く、本発明の特徴的構成を備える部分であり、二重筒構造のインナーカートリッジ１３とアウターカートリッジ２１と、を備えることによって基本的に構成されている。  
インナーカートリッジ１３は、内周面が下窄まり形状のテーパ面で、外周面が上窄まり形状のテーパ面の一例として円筒形状の筒体４１と、該筒体４１の下面に宛てがわれる一例としてステンレス製の円板状の座板４３とを備えている。
【００２３】
また、上記筒体４１は、全体がＣＲスポンジ（クロロプレンゴム）によって形成されており、筒体４１自体が緩衝機能を有する緩衝構造２７になっている。  
更に、上記筒体４１の軸中心には、閉じた状態の折り畳み傘３の石突き部５と、該石突き部５に固定された生地部７の基端部９を挿し込む、底面が開放された貫通状態の挿込み穴部１１が形成されている。
【００２４】
また、上記挿込み穴部１１が形成されている内周面には、防水コーティング材によって形成されるコーティング層４５が形成されており、該コーティング層４５の表面と、該インナーカートリッジ１３の外周面に一例として布材によって構成される吸水材２３が配設されている。  
因みに、インナーカートリッジ１３の内周面に配設されている吸水材２３によって折り畳み傘３の生地部７における基端部９の生地表面に付着した雫Ｗを吸収し、インナーカートリッジ１３の外周面に配設される吸水材２３によって折り畳み傘３の生地部７における1段目折り返し部１５の生地表面に付着した雫Ｗを吸収するように構成されている。
【００２５】
また、上記インナーカートリッジ１３の作用高さＨは、一例として約１２０ｍｍに設定されており、前記折り畳み傘３の石突き部５が後述する傘受けストッパー２５に当接した状態で前記生地部７の基端部９と1段目折り返し部１５の屈曲点Ｏが上記インナーカートリッジ１３の頂部に押し付けられることのない余裕を持った寸法に設定されている。  
また、上記インナーカートリッジ１３の内周面の直径は、上端部で約３５ｍｍ、下端部で約２５ｍｍに一例として設定されており、上記インナーカートリッジ１３の外周面の直径は上端部で約６０ｍｍ、下端部で約７０ｍｍに一例として設定されている。
【００２６】
アウターカートリッジ２１は、一例としてステンレス製の円筒状の胴部４７と、該胴部４７の外周面の下部に一例として４個、溶接によって９０°間隔で等分配置されて取り付けられているＬ字形断面の取付け金具４９（図６参照）とを備えている。  
上記胴部４７の内周面には、緩衝構造２７として機能する一例としてＣＲスポンジによって形成されている緩衝材５１が配設されており、該緩衝材５１のすべてと、上記胴部４７の外周面側の上端部にかけての部分に一例として布材によって形成されている吸水材２３（図５、図６）が配設されている。
【００２７】
また、上記アウターカートリッジ２１の内部には、前記インナーカートリッジ１３を囲む外方空間が形成されており、該外方空間が閉じた状態の折り畳み傘３の前記基端部９から延びる生地部７の1段目折り返し部１５と、該1段目折り返し部１５から延びる生地部７の2段目折り返し先端部１７とを収容する底面が開放された収容凹部１９になっている。  
尚、上記アウターカートリッジ２１の内径は一例として約２２０ｍｍであり、上記アウターカートリッジ２１の高さは、前記インナーカートリッジ１３の作用高さＨと同じ一例として約１２０ｍｍに設定されている。
【００２８】
そして、前記インナーカートリッジ１３と上記アウターカートリッジ２１は、図５及び図６に示すように、両カートリッジ１３、２１間の空間の下方で上方から宛てがわれる一例として半リング状の一対のカートリッジ押さえ５３と、下方から宛てがわれる一例として矩形平板状で複数の通水孔５４が刻設されているカートリッジベース５５とを使用して、これらをトラスビス等の固定ネジ５７で組み付けることによって一体に組み付けられている。  
また、上記カートリッジベース５５の上面には、上記カートリッジ押さえ５３を取り付ける場合に使用されるネジ孔を有する取付けリング５９が一例として溶接によって取り付けられており、上記カートリッジベース５５の下面には、次に述べる傘受けストッパー２５を取り付ける場合に使用されるストッパー取付け金具６０が一例として溶接によって取り付けられている。
【００２９】
傘受けストッパー２５は、頭部が一例としてウレタンゴムで、軸部に雄ネジが刻設された部材で、該雄ネジを上記ストッパー取付け金具６０に一例として溶接によって取り付けられているナットと、別途設けられるロックナット２６とに螺合させることによって取り付けられている。  
また、上記傘受けストッパー２５は、前記インナーカートリッジ１３の挿し込み穴部１１の底部に上記頭部が臨むように取り付けられており、前記挿込み穴部１１に挿入された折り畳み傘３の石突き部５の下限位置を設定する役割を有している。
【００３０】
更に、前記フレーム２の進行方向Ａの下流側の上部には、中心に口径の大きな図示しない円形の開口を有する平面視矩形状のカートリッジ受板７９（図２参照）が取り付けられており、該カートリッジ受板７９を利用して上記一体に組み付けられたインナーカートリッジ１３とアウターカートリッジ２１を含む上述した諸部材が取り付けられている。  
この他、前記カートリッジ受板７９及び一体に組み付けられたインナーカートリッジ１３とアウターカートリッジ２１を含む諸部材の上部には、一例としてステンレス製で平面視矩形状のカートリッジカバー８１（図１、図４参照）が取り付けられている。そして、該カートリッジカバー８１には、中心に口径の大きな円形の窓部８３が形成されており、該窓部８３から前記アウターカートリッジ２１の上端部が幾分上方に突出した状態で位置するように構成されている。
【００３１】
次に、このようにして構成される本実施の形態に係る折り畳み傘の雫除去装置１を使用することによって実行される折り畳み傘３の生地部７における生地表面に付着した雫Ｗの除去の流れを図７に示す説明図に従って説明する。  
先ず、使用者は、開いていた折り畳み傘３を閉じて、取っ手４を持って図７（ａ）に示すように折り畳み傘３の取っ手４以外の部分を装置１の第１滴除去装置３０の前面６３から水切り空間２９内に進入させる。
【００３２】
次に、使用者は進行方向Ａに進みながら、図７（ｂ）に示すように折り畳み傘３を進行方向Ａの左右に数回振って、前後の側壁３１Ｌ、３１Ｒの内壁面に取り付けられているスポンジ板３３に生地部７の生地表面を当てて該生地表面に付着している雫Ｗを予備的に取り除く。  
尚、この時、取り除くことができるのは、主に最外周に位置している生地部７の2段目折り返し先端部１７における生地表面に付着している雫Ｗである。
【００３３】
次に、使用者は上記第１雫除去装置３０における水切り空間２９から折り畳み傘３を一旦、上方に引き抜き、幾分、生地部７を広げてから図７（ｃ）に示すように石突き部５と生地部７の基端部９（図７（ａ））を第２雫除去装置４０のインナーカートリッジ１３における挿込み穴部１１に挿し込み、生地部７の1段目折り返し部１５と2段目折り返し先端部１７をアウターカートリッジ２１における収容凹部１９内に収容させる。  
尚、この時の折り畳み傘３の下限位置は、石突き部５が傘受けストッパー２５に当接することによって設定されており、折り畳み傘３の無理な下方への移動は規制されている。
【００３４】
この状態で使用者は折り畳み傘３を上下に数回振り、この時の折り畳み傘３の上下動動作による振り落とし作用と、以下詳述するインナーカートリッジ１１及びアウターカートリッジ２１表面の吸水材２３による雫Ｗの吸水作用とによって生地部７の生地表面全体に付着していた雫Ｗを取り除く。  
即ち、生地部７の基端部９の生地表面に付着していた雫Ｗは、インナーカートリッジ１３の内周面に配設されている吸水材２３に接触させることによって吸収されて除去される。
【００３５】
また、生地部７の1段目折り返し部１５の生地表面に付着していた雫Ｗは、インナーカートリッジ１３の外周面に配設されている吸水材２３に接触させることによって吸収されて除去される。  
そして、生地部７の2段目折り返し先端部１７の生地表面に残っていた雫Ｗは、アウターカートリッジ２１の内周面に配設されている吸水材２３に接触させることによって吸収されて除去される。
【００３６】
このように本発明では、使用者の進行方向Ａへの進行を継続させた状態で折り畳み傘３の生地部７の生地表面に付着した雫Ｗを除去することが可能になっている。  
また、二重筒構造のカートリッジ１１及び２１の採用によって、従来除去が困難であった生地部７の基端部９に付着した雫Ｗも効率良く簡単な操作で除去でき、ビニール袋を使用しないからビニール袋の廃棄処理の問題も生じないし、動力を使用しないから省エネルギー化等の要請にも応えることができる。
【００３７】
以上が本発明の基本的な実施の形態であるが、本発明の折り畳み傘の雫除去装置１は、前述した実施の形態に限定されるものではなく、本発明の要旨を逸脱しない範囲内の部分的構成の変更や省略、あるいは当業者において周知、慣用の技術を追加することが可能である。  
例えば、第１雫除去装置３０と第２雫除去装置４０とを切り離してそれぞれ別体の装置として使用し、進行方向Ａに沿って第１雫除去装置３０、第２雫除去装置４０の順で直列的に設置して使用することも可能である。
【００３８】
また、前述した実施の形態に係る折り畳み傘の雫除去装置１の構成から第１雫除去装置３０を排除して第２雫除去装置４０のみを備える構成とすることも可能である。  
また、インナーカートリッジ１３とアウターカートリッジ２１は円筒形状に限らず平面視多角形の角筒形状や図８（ａ）に示すように折り畳み傘３の平面形状に合わせた星形形状にしたり、図８（ｂ）に示すようにインナーカートリッジ１３の内周面及び外周面とアウターカートリッジ２１の内周面に筒軸方向に延びる溝部８５を形成した構成であってもよい。
【００３９】
この他、前記第１雫除去装置３０については、長傘の生地表面に付着した雫Ｗの除去に使用することも可能であり、前記第２雫除去装置４０のインナーカートリッジ１３全体を緩衝構造２７とするのではなく、アウターカートリッジ２１の内周面に配設した緩衝材５１と同様の緩衝材をインナーカートリッジ１３の内周面と外周面のみに配設する構成であっても構わない。
【産業上の利用可能性】
【００４０】
本発明は、多数の人が出入りする建築物の玄関等に設置される傘用の雫除去装置の製造、使用分野等で利用でき、特に折り畳み傘の生地表面に付着した雫を効率的に簡単な操作で除去したい場合に利用可能性を有する。
【符号の説明】
【００４１】
１  （折り畳み傘の）雫除去装置
２  フレーム
３  折り畳み傘
４  取っ手
５  石突き部
７  生地部
９  基端部
１１  挿込み穴部
１３  インナーカートリッジ
１５  1段目折り返し部
１７  2段目折り返し先端部
１９  収容凹部
２１  アウターカートリッジ
２３  吸水材
２５  傘受けストッパー
２６  ロックナット
２７  緩衝構造
２９  水切り空間
３０  第１雫除去装置
３１  側壁
３３  スポンジ板
４０  第２雫除去装置
４１  筒体
４３  座板
４５  コーティング層
４７  胴部
４９  取付け金具
５１  緩衝材
５３  カートリッジ押さえ
５４  通水孔
５５  カートリッジベース
５７  固定ネジ
５９  取付けリング
６０  ストッパー取付け金具
６１  キャスター
６３  前面
６５  上面
６７  仕切り
６９  貯溜容器
７０  連絡開口
７１  案内板
７３  ノズル
７５  水受け
７９  カートリッジ受板
８１  カートリッジカバー
８３  窓部
８５  溝部
Ｗ  雫
Ｈ  作用高さ
Ｏ  屈曲点
Ａ  進行方向
【図１】
2013017688.tif 000003
【図２】
2013017688.tif 000004
【図３】
2013017688.tif 000005
【図４】
2013017688.tif 000006
【図５】
2013017688.tif 000007
【図６】
2013017688.tif 000008
【図７】
2013017688.tif 000009
【図８】
2013017688.tif 000010